(57)【要約】【課題】三次元造形装置において、意図せずにノズルから材料が吐出されることを抑制する。【解決手段】三次元造形装置は、材料を溶融して造形材料にする溶融部と、溶融部から供給された造形材料をステージに向かって吐出するノズルと、を備える。溶融部は、回転軸を中心に回転し、材料が供給される溝が形成された溝形成面を有するスクリューと、溝に供給された材料を加熱する加熱部と、溝形成面に対向する対向面を有し、対向面とノズルとを連通する連通孔が設けられたバレルと、連通孔に設けられ、ノズルから吐出される造形材料の流量を調節する吐出量調節機構と、を有する。【選択図】図１
2020179554.tif 000002
【特許請求の範囲】
【請求項１】
三次元造形装置であって、
材料を溶融して造形材料にする溶融部と、
前記溶融部から供給された前記造形材料をステージに向かって吐出するノズルと、
を備え、
前記溶融部は、
回転軸を中心に回転し、前記材料が供給される溝が形成された溝形成面を有するスクリューと、
前記溝に供給された前記材料を加熱する加熱部と、
前記溝形成面に対向する対向面を有し、前記対向面と前記ノズルとを連通する連通孔が設けられたバレルと、
前記連通孔に設けられ、前記ノズルから吐出される前記造形材料の流量を調節する吐出量調節機構と、
を有する、三次元造形装置。
【請求項２】
請求項１に記載の三次元造形装置であって、
前記吐出量調節機構を制御する制御部を備え、
前記吐出量調節機構は、前記連通孔に交差する中心軸を中心として回転可能に構成され、かつ、前記造形材料が流れる流通路を有する弁部を備え、
前記連通孔は、前記対向面と前記弁部との間の流路である第１部分流路と、前記弁部と前記ノズルとの間の流路であり、前記流通路を介して前記第１部分流路に連通する第２部分流路とを有し、
前記制御部は、前記弁部を回転させて前記流通路と前記第２部分流路との接続部の流路断面積を変更することによって、前記ノズルから吐出される前記造形材料の流量を調節する、三次元造形装置。
【請求項３】
請求項１または請求項２に記載の三次元造形装置であって、
前記加熱部は、前記バレル内に配置されており、
前記スクリューの前記回転軸に垂直な方向において、前記加熱部と前記バレルの前記連通孔との最短距離は、前記加熱部と前記スクリューの外周縁との最短距離よりも短い、三次元造形装置。
【請求項４】
請求項１から請求項３のいずれか一項に記載の三次元造形装置であって、
前記バレルは、冷却部を有し、
前記スクリューの前記回転軸に垂直な方向において、前記冷却部と前記バレルの前記連通孔との最短距離は、前記冷却部と前記スクリューの外周縁との最短距離よりも長い、三次元造形装置。
【請求項５】
請求項１から請求項４のいずれか一項に記載の三次元造形装置であって、
前記吐出量調節機構と前記ノズルとの間の前記連通孔に接続され、前記連通孔から前記造形材料を吸引する吸引部を備える、三次元造形装置。
【発明の詳細な説明】
【技術分野】
【０００１】
本開示は、三次元造形装置に関する。
【背景技術】
【０００２】
例えば、特許文献１には、溶融した材料を吐出するノズルと、ノズル内の材料を吸引する吸引部とを備える三次元造形装置が開示されている。この三次元造形装置では、ノズルから材料を吐出した後、ノズルを離れた位置に移動させる際に、吸引部を駆動してノズル内の材料を吸引することによって、三次元造形物とノズルとの間で材料が糸状に伸びる糸引きの抑制が図られている。
【先行技術文献】
【特許文献】
【０００３】
【特許文献１】特開２０１７−０３５８１１号公報
【発明の概要】
【発明が解決しようとする課題】
【０００４】
上述した三次元造形装置では、例えば、ノズルの移動に要する時間が長い場合、意図せずにノズルから材料が吐出される可能性がある。そのため、意図せずにノズルから吐出された材料が三次元造形物に付着して、三次元造形物の寸法精度を低下させる可能性がある。
【課題を解決するための手段】
【０００５】
本開示の一形態によれば、三次元造形装置が提供される。この三次元造形装置は、材料を溶融して造形材料にする溶融部と、前記溶融部から供給された前記造形材料をステージに向かって吐出するノズルと、を備える。前記溶融部は、回転軸を中心に回転し、前記材料が供給される溝が形成された溝形成面を有するスクリューと、前記溝に供給された前記材料を加熱する加熱部と、前記溝形成面に対向する対向面を有し、前記対向面と前記ノズルとを連通する連通孔が設けられたバレルと、前記連通孔に設けられ、前記ノズルから吐出される前記造形材料の流量を調節する吐出量調節機構と、を有する。
【図面の簡単な説明】
【０００６】
【図１】第１実施形態における三次元造形装置の概略構成を示す説明図。
【図２】第１実施形態における吐出量調節機構および吸引部の構成を示す説明図。
【図３】第１実施形態における弁部の構成を示す斜視図。
【図４】吐出量調節機構の弁部の動作を示す第１の説明図。
【図５】吐出量調節機構の弁部の動作を示す第２の説明図。
【図６】吸引部のプランジャーの動作を示す説明図。
【図７】フラットスクリューの溝形成面の構成を示す斜視図。
【図８】バレルのスクリュー対向面の構成を示す上面図。
【図９】造形処理の内容を示すフローチャート。
【図１０】三次元造形物が造形される様子を模式的に示す説明図。
【図１１】比較例における三次元造形装置を示す説明図。
【図１２】第２実施形態における三次元造形装置の概略構成を示す説明図。
【図１３】他の形態における三次元造形装置の概略構成を示す説明図。
【発明を実施するための形態】
【０００７】
Ａ．第１実施形態：
図１は、第１実施形態における三次元造形装置１００の概略構成を示す説明図である。図１には、互いに直交するＸ，Ｙ，Ｚ方向に沿った矢印が表されている。Ｘ方向およびＹ方向は、水平方向に沿った方向であり、Ｚ方向は、鉛直方向に沿った方向である。他の図においても、Ｘ，Ｙ，Ｚ方向に沿った矢印が、適宜、表されている。図１におけるＸ，Ｙ，Ｚ方向と、他の図におけるＸ，Ｙ，Ｚ方向とは、同じ方向を表している。
【０００８】
本実施形態における三次元造形装置１００は、造形ヘッド２００と、ステージ３００と、移動機構４００と、制御部５００とを備えている。三次元造形装置１００は、制御部５００の制御下で、造形ヘッド２００に設けられたノズル６１からステージ３００の造形面３１０に向かって造形材料を吐出しつつ、移動機構４００を駆動して、ノズル６１と造形面３１０との相対的な位置を変化させることによって、造形面３１０上に所望の形状の三次元造形物を造形する。
【０００９】
移動機構４００は、ノズル６１と造形面３１０との相対的な位置を変化させる。本実施形態では、移動機構４００は、造形ヘッド２００に対してステージ３００を移動させることによって、ノズル６１と造形面３１０との相対的な位置を変化させる。本実施形態における移動機構４００は、３つのモーターの駆動力によって、ステージ３００をＸ，Ｙ，Ｚ方向の３軸方向に移動させる３軸ポジショナーによって構成される。各モーターは、制御部５００の制御下で駆動される。尚、移動機構４００は、ステージ３００を移動させる構成ではなく、ステージ３００を移動させずに造形ヘッド２００を移動させることによって、ノズル６１と造形面３１０との相対的な位置を変化させる構成であってもよい。また、移動機構４００は、ステージ３００と造形ヘッド２００との両方を移動させることによって、ノズル６１と造形面３１０との相対的な位置を変化させる構成であってもよい。
【００１０】
制御部５００は、１以上のプロセッサーと、主記憶装置と、外部との信号の入出力を行う入出力インターフェースとを備えるコンピューターによって構成されている。本実施形態では、制御部５００は、主記憶装置上に読み込んだプログラムや命令をプロセッサーが実行することによって、造形ヘッド２００と移動機構４００との動作を制御して、三次元造形物を造形するための造形処理を実行する。動作には、造形ヘッド２００とステージ３００との三次元の相対的な位置の移動が含まれる。尚、制御部５００は、コンピューターではなく、複数の回路の組み合わせによって構成されてもよい。
【００１１】
造形ヘッド２００は、材料の供給源である材料供給部２０と、材料供給部２０から供給された材料を溶融して造形材料にする溶融部３０と、溶融部３０から供給された造形材料を吐出するノズル６１とを備えている。材料供給部２０には、ペレットや粉末等の状態の材料が収容されている。本実施形態では、ペレット状に形成されたＡＢＳ樹脂が材料として用いられる。本実施形態における材料供給部２０は、ホッパーによって構成されている。材料供給部２０の下方には、材料供給部２０と溶融部３０との間を接続する供給路２２が設けられている。材料供給部２０は、供給路２２を介して、溶融部３０に材料を供給する。
【００１２】
溶融部３０は、スクリューケース３１と、駆動モーター３２と、フラットスクリュー４０と、バレル５０とを備えている。溶融部３０は、材料供給部２０から供給された固体状態の材料の少なくとも一部を溶融させて流動性を有するペースト状の造形材料にして、ノズル６１に供給する。尚、フラットスクリュー４０のことを単にスクリューと呼ぶこともある。
【００１３】
スクリューケース３１は、フラットスクリュー４０を収容する筐体である。スクリューケース３１の下面には、バレル５０が固定されており、スクリューケース３１とバレル５０とによって囲まれた空間に、フラットスクリュー４０が収容されている。スクリューケース３１の上面には、駆動モーター３２が固定されている。駆動モーター３２のシャフト３３は、フラットスクリュー４０の上面４１側に接続されている。駆動モーター３２は、制御部５００の制御下で駆動される。
【００１４】
フラットスクリュー４０は、中心軸ＲＸに沿った方向の高さが直径よりも小さい略円柱形状を有している。フラットスクリュー４０は、中心軸ＲＸがＺ方向に平行になるように、スクリューケース３１内に配置されている。駆動モーター３２が発生させるトルクによって、フラットスクリュー４０は、スクリューケース３１内にて、中心軸ＲＸを中心に回転する。フラットスクリュー４０は、中心軸ＲＸに沿った方向における上面４１とは反対側に、材料が供給される溝部４５が形成された溝形成面４２を有している。尚、中心軸ＲＸのことを回転軸と呼ぶこともある。溝形成面４２の具体的な構成については後述する。
【００１５】
バレル５０は、フラットスクリュー４０の下方に配置されている。バレル５０は、フラットスクリュー４０の溝形成面４２に対向するスクリュー対向面５２を有している。バレル５０には、スクリュー対向面５２とノズル６１との間を連通する連通孔５６と、連通孔５６に交差する交差孔５７とが設けられている。交差孔５７に交差する連通孔５６の部分のことを交差部１５３と呼ぶ。連通孔５６は、交差部１５３よりもスクリュー対向面５２に近い第１部分流路１５１と、交差部１５３よりもスクリュー対向面５２から離れた第２部分流路１５２とを有する。本実施形態では、第１部分流路１５１と第２部分流路１５２とは、フラットスクリュー４０の中心軸ＲＸ上に、Ｚ方向に沿って延びている。交差孔５７は、Ｙ方向に沿って延びている。尚、スクリュー対向面５２のことを単に対向面と呼ぶこともある。スクリュー対向面５２の具体的な構成については後述する。
【００１６】
バレル５０には、ノズル６１から吐出される造形材料の流量を調節する吐出量調節機構７０が設けられている。吐出量調節機構７０は、交差孔５７内に配置された弁部７３と、弁部７３を交差孔５７内で回転させる弁駆動部１０１とを備えている。弁駆動部１０１は、ステッピングモーター等のアクチュエーターによって構成されており、制御部５００の制御下で弁部７３を回転させる。連通孔５６の第２部分流路１５２には、吸引部８０が接続されている。吸引部８０は、第２部分流路１５２から造形材料を吸引する。尚、弁部７３は、連通孔５６の交差部１５３内で回転すると言うこともできる。ノズル６１から吐出される造形材料の流量のことを吐出量とも呼ぶ。吐出量調節機構７０の具体的な構成と、吸引部８０の具体的な構成とについては後述する。
【００１７】
バレル５０は、フラットスクリュー４０の溝部４５に供給された材料を加熱するヒーター５８を備えている。本実施形態では、Ｙ方向に沿って延びる軸状のヒーター５８Ａ〜５８Ｄが、バレル５０に埋設されている。各ヒーター５８Ａ〜５８Ｄは、バレル５０における、フラットスクリュー４０の溝部４５の下方に配置されている。各ヒーター５８Ａ〜５８ＤのＺ方向における位置が、吐出量調節機構７０の弁部７３のＺ方向における位置と同じになるように、各ヒーター５８Ａ〜５８Ｄが配置されている。−Ｘ方向側から＋Ｘ方向側に向かって、ヒーター５８Ａと、ヒーター５８Ｂと、吐出量調節機構７０の弁部７３と、ヒーター５８Ｃと、ヒーター５８Ｄとが、この順に、平行に配置されている。フラットスクリュー４０の中心軸ＲＸを通り、かつ、弁部７３の中心軸ＡＸ１に垂直な断面において、フラットスクリュー４０の中心軸ＲＸに垂直な方向であるＸ方向における連通孔５６とヒーター５８Ｂとの間の最短距離と、Ｘ方向におけるフラットスクリュー４０の溝形成面４２の外周縁とヒーター５８Ａとの間の最短距離とが同じになるように、ヒーター５８Ａとヒーター５８Ｂとが配置されている。フラットスクリュー４０の中心軸ＲＸを通り、かつ、弁部７３の中心軸ＡＸ１に垂直な断面において、Ｘ方向における連通孔５６とヒーター５８Ｃとの間の最短距離と、Ｘ方向におけるフラットスクリュー４０の溝形成面４２の外周縁とヒーター５８Ｄとの間の最短距離とが同じになるように、ヒーター５８Ｃとヒーター５８Ｄとが配置されている。各ヒーター５８Ａ〜５８Ｄの温度は、制御部５００によって制御される。尚、ヒーター５８のことを加熱部と呼ぶこともある。
【００１８】
バレル５０は、フラットスクリュー４０やバレル５０を冷却する冷却部９０を備えている。本実施形態では、冷却部９０は、バレル５０に埋設された冷媒配管５９と、冷媒配管５９に接続されており、冷媒配管５９に冷媒を供給するポンプ１０３とを有する。冷媒配管５９は、ヒーター５８よりも連通孔５６から離れた位置に配置されている。冷媒配管５９は、フラットスクリュー４０における溝形成面４２の外周縁の近傍を通るように配置されている。フラットスクリュー４０の中心軸ＲＸを通り、かつ、弁部７３の中心軸ＡＸ１に垂直な断面において、フラットスクリュー４０の中心軸ＲＸに垂直な方向であるＸ方向における冷媒配管５９と溝形成面４２の外周縁との間の最短距離よりも、Ｘ方向における冷媒配管５９と連通孔５６との間の最短距離の方が長くなるように、冷媒配管５９が配置されている。ポンプ１０３は、制御部５００の制御下で駆動される。本実施形態では、冷媒として水が用いられる。冷媒として、例えば、油等の液体や、二酸化炭素等の気体が用いられてもよい。尚、冷却部９０には、ペルチェ素子やヒートポンプが用いられてもよい。
【００１９】
ノズル６１は、バレル５０の下面に接続されている。ノズル６１には、ステージ３００の造形面３１０に対向するノズル６１の先端部分にノズル孔６２が設けられている。ノズル孔６２は、造形材料を吐出するための開口部である。バレル５０に設けられた連通孔５６の第２部分流路１５２とノズル孔６２との間は、内部流路６５を介して連通している。本実施形態では、ノズル孔６２の開口形状は円形である。ノズル孔６２の径は、内部流路６５の径よりも小さい。尚、ノズル孔６２の開口形状は、円形に限られず、四角形等であってもよい。
【００２０】
図２は、本実施形態における吐出量調節機構７０および吸引部８０の構成を示す説明図である。図３は、本実施形態における吐出量調節機構７０の弁部７３の構成を示す斜視図である。吐出量調節機構７０は、上述したとおり、交差孔５７内に配置された円柱状の弁部７３を有している。弁部７３は、中心軸ＡＸ１を有している。弁部７３には、円柱状の外周の一部が半月状に切り欠かれることによって、凹部７５が設けられている。凹部７５は、連通孔５６の交差部１５３内に配置されている。弁部７３の−Ｙ方向側の端部には、操作部７７が設けられている。操作部７７には、弁駆動部１０１が接続されている。弁駆動部１０１によるトルクが操作部７７に加えられることによって、弁部７３が回転する。尚、凹部７５のことを流通路と呼ぶこともある。
【００２１】
図４は、吐出量調節機構７０の弁部７３の動作を示す第１の説明図である。図５は、吐出量調節機構７０の弁部７３の動作を示す第２の説明図である。図４に示すように、凹部７５が上方に位置するように弁部７３が回転すると、第２部分流路１５２が弁部７３によって閉塞されて、第１部分流路１５１から第２部分流路１５２への造形材料の流入が遮断される。一方、図５に示すように凹部７５が＋Ｘ方向あるいは−Ｘ方向を向くように弁部７３が回転すると、第１部分流路１５１と第２部分流路１５２との間が連通し、第１部分流路１５１から第２部分流路１５２に最大の流量で造形材料が流入する。吐出量調節機構７０は、弁部７３の回転に応じて、第１部分流路１５１と第２部分流路１５２との間の流路断面積を変更し、第１部分流路１５１から第２部分流路１５２へと流入する造形材料の流量を変更する。
【００２２】
図２を参照し、本実施形態における吸引部８０は、バレル５０内に埋設された円筒状のシリンダー８１と、シリンダー８１内に収容されたプランジャー８２と、プランジャー８２をシリンダー８１内で移動させるプランジャー駆動部１０２とを備えている。シリンダー８１は、連通孔５６の第２部分流路１５２に接続されている。プランジャー駆動部１０２は、制御部５００の制御下で駆動されるモーターと、モーターの回転をシリンダー８１の中心軸ＡＸ２に沿った並進運動に変換するラックアンドピニオンによって構成されている。尚、プランジャー駆動部１０２は、制御部５００の制御下で駆動されるモーターと、モーターの回転をシリンダー８１の中心軸ＡＸ２に沿った並進運動に変換するボール螺子によって構成されてもよいし、ソレノイド機構やピエゾ素子等のアクチュエーターによって構成されてもよい。
【００２３】
図６は、吸引部８０のプランジャー８２の動作を示す説明図である。プランジャー８２が連通孔５６の第２部分流路１５２から遠ざかる方向に移動した場合には、シリンダー８１内に負圧が生じるため、図６に矢印で表されたように、第２部分流路１５２内の造形材料がシリンダー８１内に引き込まれる。第２部分流路１５２内の造形材料がシリンダー８１内に引き込まれることによって、ノズル６１内の造形材料は、第２部分流路１５２内に引き込まれる。そのため、ノズル６１からの造形材料の吐出を停止する際に、第２部分流路１５２内の造形材料をシリンダー８１内に吸引することによって、ノズル６１から吐出された造形材料の尾切りを行うことができる。一方、プランジャー８２が第２部分流路１５２に近付く方向に移動した場合には、シリンダー８１内の造形材料は、プランジャー８２によって第２部分流路１５２内に押し出される。そのため、ノズル６１からの造形材料の吐出を再開する際に、シリンダー８１内の造形材料を第２部分流路１５２内へと押し出すことによって、ノズル６１からの造形材料の吐出の応答性を高めることができる。尚、プランジャー８２を第２部分流路１５２から遠ざかる方向に移動させることを、プランジャー８２を引くとも呼ぶ。プランジャー８２を第２部分流路１５２に近付く方向に移動させることを、プランジャー８２を押すとも呼ぶ。
【００２４】
図７は、本実施形態におけるフラットスクリュー４０の溝形成面４２の構成を示す斜視図である。図７に示したフラットスクリュー４０は、技術の理解を容易にするために、図１に示した上下の位置関係を逆向きとした状態で示されている。フラットスクリュー４０の溝形成面４２には、中央部４６と、溝部４５と、材料導入口４８とが設けられている。中央部４６は、フラットスクリュー４０の中心軸ＲＸの周りに形成された窪みである。中央部４６は、バレル５０の連通孔５６に対向する。
【００２５】
溝部４５は、フラットスクリュー４０の中心軸ＲＸを中心として、溝形成面４２の外周に向かって弧を描くように渦状に延びる溝である。溝部４５は、インボリュート曲線状や螺旋状に延びるように構成されてもよい。溝部４５の一端は、中央部４６に接続されており、溝部４５の他端は、材料導入口４８に接続されている。隣接する溝部４５同士は、凸条部４４によって区画されている。
【００２６】
材料導入口４８は、フラットスクリュー４０の側面４３に設けられている。材料導入口４８は、供給路２２を介して材料供給部２０から供給された材料を、溝部４５に導入する。尚、図７には、フラットスクリュー４０の中央部４６から外周に向かって、１組の溝部４５と材料導入口４８が設けられた形態を表したが、フラットスクリュー４０の中央部４６から外周に向かって、複数組の溝部４５と材料導入口４８とが設けられてもよい。
【００２７】
図８は、本実施形態におけるバレル５０のスクリュー対向面５２の構成を示す上面図である。上述したとおり、スクリュー対向面５２の中央には、ノズル６１に連通する連通孔５６が形成されている。スクリュー対向面５２には、連通孔５６の周りに、複数の案内溝５４が形成されている。それぞれの案内溝５４は、一端が連通孔５６に接続され、連通孔５６からスクリュー対向面５２の外周に向かって渦状に延びている。それぞれの案内溝５４は、造形材料を連通孔５６に導く機能を有している。
【００２８】
図９は、本実施形態における造形処理の内容を示すフローチャートである。この処理は、三次元造形装置１００に設けられた操作パネルや、三次元造形装置１００に接続されたコンピューターに対して、所定の開始操作がユーザーによって行われた場合に、制御部５００によって実行される。
【００２９】
まず、制御部５００は、ステップＳ１１０にて、三次元造形物ＯＢを造形するための造形データを取得する。造形データとは、ステージ３００の造形面３１０に対するノズル６１の移動経路や、ノズル６１から吐出される造形材料の量や、フラットスクリュー４０を回転させる駆動モーター３２の回転数や、バレル５０に内蔵されたヒーター５８の温度等に関する情報が表されたデータである。造形データは、例えば、三次元造形装置１００に接続されたコンピューターにインストールされたスライサーソフトによって生成される。スライサーソフトは、三次元ＣＡＤソフトや三次元ＣＧソフトを用いて作成された三次元造形物ＯＢの形状を表す形状データを読み込み、三次元造形物ＯＢの形状を所定の厚みの層に分割して、造形データを生成する。スライサーソフトに読み込まれる形状データには、ＳＴＬ形式やＡＭＦ形式等のデータが用いられる。スライサーソフトによって作成された造形データは、ＧコードやＭコード等によって表されている。制御部５００は、三次元造形装置１００に接続されたコンピューターや、ＵＳＢメモリー等の記録媒体から造形データを取得する。
【００３０】
次に、ステップＳ１２０にて、制御部５００は、造形材料の生成を開始する。制御部５００は、造形データに従って、フラットスクリュー４０の回転、および、ヒーター５８の温度を制御することによって、材料を溶融させて造形材料を生成する。フラットスクリュー４０の回転によって、材料供給部２０から供給された材料が、フラットスクリュー４０の材料導入口４８から溝部４５内に導入される。溝部４５内に導入された材料は、溝部４５に沿って中央部４６へと搬送される。溝部４５内を搬送される材料は、フラットスクリュー４０とバレル５０との相対的な回転によるせん断、および、ヒーター５８による加熱によって、その少なくとも一部が溶融されて、流動性を有するペースト状の造形材料になる。中央部４６に集められた造形材料は、連通孔５６からノズル６１に圧送される。尚、造形材料は、この処理が行われる間、生成され続ける。
【００３１】
ステップＳ１３０にて、制御部５００は、吐出量調節機構７０を制御することによって、連通孔５６の第１部分流路１５１と第２部分流路１５２との間を連通させて、ノズル６１からの造形材料の吐出を開始する。ノズル６１からの造形材料の吐出が開始されることによって、三次元造形物ＯＢの造形が開始される。
【００３２】
ステップＳ１４０にて、制御部５００は、ノズル６１からの造形材料の吐出を停止するか否かを判定する。ステップＳ１４０にてノズル６１からの造形材料の吐出を停止すると判断されなかった場合、制御部５００は、ノズル６１からの造形材料の吐出を停止すると判断されるまで、ステップＳ１４０の処理を繰り返しつつ、三次元造形物ＯＢの造形を継続する。一方、ステップＳ１４０にてノズル６１からの造形材料の吐出を停止すると判断された場合、ステップＳ１５０にて、制御部５００は、吐出量調節機構７０を制御することによって、連通孔５６の第１部分流路１５１から第２部分流路１５２への造形材料の流入を遮断する。第１部分流路１５１から第２部分流路１５２への造形材料の流入が遮断されることによって、ノズル６１からの造形材料の吐出が停止される。ノズル６１からの造形材料の吐出が停止される際に、ステップＳ１５５にて、制御部５００は、プランジャー駆動部１０２を制御して、プランジャー８２を引くことによって、ノズル６１内や第２部分流路１５２内に残留する造形材料をシリンダー８１内に吸入する。
【００３３】
その後、ステップＳ１６０にて、制御部５００は、三次元造形物ＯＢの造形が完了したか否かを判定する。ステップＳ１６０にて三次元造形物ＯＢの造形が完了したと判断された場合、制御部５００は、この処理を終了する。一方、ステップＳ１６０にて三次元造形物ＯＢの造形が完了したと判断されなかった場合、ステップＳ１７０にて、制御部５００は、ノズル６１からの造形材料の吐出を再開するか否かを判定する。
【００３４】
ステップＳ１７０にてノズル６１からの造形材料の吐出を再開すると判断されなかった場合、制御部５００は、ノズル６１からの造形材料の吐出を再開すると判断されるまで、ステップＳ１７０の処理を繰り返しつつ、三次元造形物ＯＢの造形を待機する。一方、ステップＳ１７０にてノズル６１からの造形材料の吐出を再開すると判断された場合、ステップＳ１８０にて、制御部５００は、吐出量調節機構７０を制御することによって、第１部分流路１５１と第２部分流路１５２との間を連通させる。第１部分流路１５１と第２部分流路１５２との間が連通することによって、ノズル６１からの造形材料の吐出が再開される。ノズル６１からの造形材料の吐出が再開される際に、ステップＳ１８５にて、制御部５００は、プランジャー駆動部１０２を制御して、プランジャー８２を押す。プランジャー８２が押されることによって、シリンダー８１内の造形材料が第２部分流路１５２内に排出されるので、ノズル６１からの造形材料の吐出が速やかに再開される。
【００３５】
図１０は、三次元造形物ＯＢが造形される様子を模式的に示す説明図である。図９に示したステップＳ１８５の後、制御部５００は、ステップＳ１４０に処理を戻し、ステップＳ１６０にて三次元造形物ＯＢの造形が完了したと判断されるまで、三次元造形物ＯＢの造形を継続する。このようにして、ステージ３００上に所望の形状の三次元造形物ＯＢが造形される。
【００３６】
図１１は、比較例における三次元造形装置１００ｂを示す説明図である。比較例では、バレル５０ｂとノズル６１との間に流路構造体２５０が設けられており、吐出量調節機構７０と吸引部８０とが、バレル５０ｂではなく流路構造体２５０に設けられていることが本実施形態と異なる。つまり、比較例では、吐出量調節機構７０と吸引部８０とが、バレル５０とは別ユニットとして構成されていることが本実施形態と異なる。その他の構成については、特に説明しない限り本実施形態と同じである。バレル５０ｂには、第１連通孔５６ｂが設けられている。流路構造体２５０には、バレル５０ｂの第１連通孔５６ｂとノズル６１との間を連通する第２連通孔２５６と、第２連通孔２５６に交差する交差孔２５７とが設けられている。第１連通孔５６ｂと、第２連通孔２５６とは、フラットスクリュー４０の中心軸ＲＸ上に、Ｚ方向に沿って延びている。吐出量調節機構７０の弁部７３は、交差孔２５７内に配置されている。吸引部８０のシリンダー８１は、第２連通孔２５６に接続されている。比較例におけるスクリュー対向面５２ｂからノズル孔６２の開口部までの最短距離Ｌ２は、本実施形態におけるスクリュー対向面５２からノズル孔６２の開口部までの最短距離Ｌ１よりも長い。そのため、比較例におけるスクリュー対向面５２ｂからノズル孔６２の開口部までを流れる際の造形材料の圧力損失は、本実施形態におけるスクリュー対向面５２からノズル孔６２の開口部までを流れる際の造形材料の圧力損失よりも大きい。
【００３７】
以上で説明した本実施形態の三次元造形装置１００によれば、バレル５０に設けられた吐出量調節機構７０によってノズル６１への造形材料の供給を停止できるので、意図せずにノズル６１から造形材料が吐出されることを抑制できる。そのため、意図せずにノズル６１から吐出された材料が三次元造形物ＯＢに付着して、三次元造形物ＯＢの寸法精度を低下させることを抑制できる。特に、本実施形態では、バレル５０と吐出量調節機構７０とが１ユニットで構成されているので、バレル５０と吐出量調節機構７０とが別ユニットで構成された形態よりも、スクリュー対向面５２からノズル孔６２の開口部までの最短距離Ｌ１を短く設定できる。そのため、スクリュー対向面５２からノズル孔６２の開口部までを流れる際の造形材料の圧力損失を小さく設定できるので、ノズル６１からの造形材料の吐出量を確保しやすくできる。また、バレル５０と吐出量調節機構７０とが１ユニットで構成されることによって、バレル５０に内蔵されたヒーター５８とノズル６１との最短距離を短く設定できるので、バレル５０に設けられたヒーター５８によって、連通孔５６の第２部分流路１５２内やノズル６１内の造形材料を加熱できる。そのため、第２部分流路１５２内やノズル６１内の造形材料を加熱するために、第２部分流路１５２の近傍やノズル６１の近傍に別途ヒーターが設けられた形態に比べて、構造を簡素化でき、かつ、制御部５００によるヒーター５８の温度の制御を容易化できる。
【００３８】
また、本実施形態では、制御部５００は、弁駆動部１０１を制御して、弁部７３を回転させることによって、ノズル６１への造形材料の供給の開始と停止とを切替えることができる。そのため、簡易な構成によって、ノズル６１からの造形材料の吐出の開始と停止とを切替えることができる。
【００３９】
また、本実施形態では、冷却部９０によってフラットスクリュー４０における溝形成面４２の外周縁の近傍を冷却することができるので、溝形成面４２の外周縁の近傍の温度が高くなりすぎて、材料の搬送が阻害されることを抑制できる。そのため、溝形成面４２の外周縁から中心軸ＲＸに向かって材料を搬送しやすくできる。
【００４０】
また、本実施形態では、ノズル６１からの造形材料の吐出を停止する際に、吸引部８０によって連通孔５６の第２部分流路１５２内の造形材料を吸引することができる。そのため、吐出量調節機構７０によってノズル６１からの造形材料の吐出を停止させる際に、ノズル６１からの造形材料の吐出をより迅速に停止できる。
【００４１】
尚、本実施形態では、ペレット状のＡＢＳ樹脂が材料として用いられたが、造形ヘッド２００において用いられる材料としては、例えば、熱可塑性を有する材料や、金属材料、セラミック材料等の種々の材料を主材料として三次元造形物を造形する材料を採用することもできる。ここで、「主材料」とは、三次元造形物の形状を形作っている中心となる材料を意味し、三次元造形物において５０重量％以上の含有率を占める材料を意味する。上述した造形材料には、それらの主材料を単体で溶融したものや、主材料とともに含有される一部の成分が溶融してペースト状にされたものが含まれる。
【００４２】
主材料として熱可塑性を有する材料を用いる場合には、溶融部３０において、当該材料が可塑化することによって造形材料が生成される。「可塑化」とは、熱可塑性を有する材料に熱が加わり溶融することを意味する。また、「溶融」とは、熱可塑性を有する材料がガラス転移点以上の温度に加熱されることにより軟化し、流動性が発現することをも意味する。
【００４３】
熱可塑性を有する材料としては、例えば、下記のいずれか一つまたは２以上を組み合わせた熱可塑性樹脂材料を用いることができる。
＜熱可塑性樹脂材料の例＞
ポリプロピレン樹脂（ＰＰ）、ポリエチレン樹脂（ＰＥ）、ポリアセタール樹脂（ＰＯＭ）、ポリ塩化ビニル樹脂（ＰＶＣ）、ポリアミド樹脂（ＰＡ）、アクリロニトリル・ブタジエン・スチレン樹脂（ＡＢＳ）、ポリ乳酸樹脂（ＰＬＡ）、ポリフェニレンサルファイド樹脂（ＰＰＳ）、ポリカーボネート（ＰＣ）、変性ポリフェニレンエーテル、ポリブチレンテレフタレート、ポリエチレンテレフタレートなどの汎用エンジニアリングプラスチック、ポリサルフォン、ポリエーテルサルフォン、ポリフェニレンサルファイド、ポリアリレート、ポリイミド、ポリアミドイミド、ポリエーテルイミド、ポリエーテルエーテルケトン（ＰＥＥＫ）などのエンジニアリングプラスチック。
【００４４】
熱可塑性を有する材料には、顔料や、金属、セラミック、その他に、ワックス、難燃剤、酸化防止剤、熱安定剤などの添加剤等が混入されていてもよい。熱可塑性を有する材料は、溶融部３０において、フラットスクリュー４０の回転とヒーター５８の加熱によって可塑化されて溶融した状態に転化される。また、そのように生成された造形材料は、ノズル孔６２から吐出された後、温度の低下によって硬化する。
【００４５】
熱可塑性を有する材料は、そのガラス転移点以上に加熱されて完全に溶融した状態でノズル孔６２から射出されることが望ましい。尚、「完全に溶融した状態」とは、未溶融の熱可塑性を有する材料が存在しない状態を意味し、例えばペレット状の熱可塑性樹脂を材料に用いた場合、ペレット状の固形物が残存しない状態のことを意味する。
【００４６】
造形ヘッド２００では、上述した熱可塑性を有する材料の代わりに、例えば、以下の金属材料が主材料として用いられてもよい。この場合には、下記の金属材料を粉末状にした粉末材料に、造形材料の生成の際に溶融する成分が混合されて、溶融部３０に投入されることが望ましい。
＜金属材料の例＞
マグネシウム（Ｍｇ）、鉄（Ｆｅ）、コバルト（Ｃｏ）やクロム（Ｃｒ）、アルミニウム（Ａｌ）、チタン（Ｔｉ）、銅（Ｃｕ）、ニッケル（Ｎｉ）の単一の金属、もしくはこれらの金属を１つ以上含む合金。
＜合金の例＞
マルエージング鋼、ステンレス鋼、コバルトクロムモリブデン合金、チタニウム合金、ニッケル合金、アルミニウム合金、コバルト合金、コバルトクロム合金。
【００４７】
造形ヘッド２００においては、上記の金属材料の代わりに、セラミック材料を主材料として用いることが可能である。セラミック材料としては、例えば、二酸化ケイ素、二酸化チタン、酸化アルミニウム、酸化ジルコニウムなどの酸化物セラミックスや、窒化アルミニウムなどの非酸化物セラミックスなどが使用可能である。主材料として、上述したような金属材料やセラミック材料を用いる場合には、ステージ３００に配置された造形材料は、例えばレーザーの照射や温風などによる焼結によって硬化されてもよい。
【００４８】
材料供給部２０に投入される金属材料やセラミック材料の粉末材料は、単一の金属の粉末や合金の粉末、セラミック材料の粉末を、複数種類、混合した混合材料であってもよい。また、金属材料やセラミック材料の粉末材料は、例えば、上で例示したような熱可塑性樹脂、あるいは、それ以外の熱可塑性樹脂によってコーティングされていてもよい。この場合には、溶融部３０において、その熱可塑性樹脂が溶融して流動性が発現されるものとしてもよい。
【００４９】
材料供給部２０に投入される金属材料やセラミック材料の粉末材料には、例えば、以下のような溶剤を添加することもできる。溶剤は、下記の中から選択される１種または２種以上を組み合わせて用いることができる。
＜溶剤の例＞
水；エチレングリコールモノメチルエーテル、エチレングリコールモノエチルエーテル、プロピレングリコールモノメチルエーテル、プロピレングリコールモノエチルエーテル等の（ポリ）アルキレングリコールモノアルキルエーテル類；酢酸エチル、酢酸ｎ−プロピル、酢酸ｉｓｏ−プロピル、酢酸ｎ−ブチル、酢酸ｉｓｏ−ブチル等の酢酸エステル類；ベンゼン、トルエン、キシレン等の芳香族炭化水素類；メチルエチルケトン、アセトン、メチルイソブチルケトン、エチル−ｎ−ブチルケトン、ジイソプロピルケトン、アセチルアセトン等のケトン類；エタノール、プロパノール、ブタノール等のアルコール類；テトラアルキルアンモニウムアセテート類；ジメチルスルホキシド、ジエチルスルホキシド等のスルホキシド系溶剤；ピリジン、γ−ピコリン、２，６−ルチジン等のピリジン系溶剤；テトラアルキルアンモニウムアセテート（例えば、テトラブチルアンモニウムアセテート等）；ブチルカルビトールアセテート等のイオン液体等。
【００５０】
その他に、材料供給部２０に投入される金属材料やセラミック材料の粉末材料には、例えば、以下のようなバインダーを添加することもできる。
＜バインダーの例＞
アクリル樹脂、エポキシ樹脂、シリコーン樹脂、セルロース系樹脂或いはその他の合成樹脂又はＰＬＡ（ポリ乳酸）、ＰＡ（ポリアミド）、ＰＰＳ（ポリフェニレンサルファイド）、ＰＥＥＫ（ポリエーテルエーテルケトン）或いはその他の熱可塑性樹脂。
【００５１】
Ｂ．第２実施形態：
図１２は、第２実施形態の三次元造形装置１００ｃの構成を示す説明図である。第２実施形態では、造形ヘッド２００ｃが有する溶融部３０ｃのバレル５０ｃにおけるヒーター５８Ａ〜５８Ｄの配置が第１実施形態と異なる。その他の構成は、特に説明しない限り、図１に示した第１実施形態と同じである。
【００５２】
本実施形態では、フラットスクリュー４０の中心軸ＲＸを通り、かつ、弁部７３の中心軸ＡＸ１に垂直な断面において、フラットスクリュー４０の中心軸ＲＸに垂直な方向であるＸ方向におけるフラットスクリュー４０の溝形成面４２の外周縁とヒーター５８Ａとの間の最短距離Ｌ４よりも、Ｘ方向における連通孔５６とヒーター５８Ｂとの間の最短距離Ｌ３の方が短くなるように、ヒーター５８Ａとヒーター５８Ｂとがバレル５０ｃに配置されている。フラットスクリュー４０の中心軸ＲＸを通り、かつ、弁部７３の中心軸ＡＸ１に垂直な断面において、Ｘ方向におけるフラットスクリュー４０の溝形成面４２の外周縁とヒーター５８Ｄとの間の最短距離Ｌ６よりも、Ｘ方向における連通孔５６とヒーター５８Ｃとの間の最短距離Ｌ５の方が短くなるように、ヒーター５８Ａとヒーター５８Ｂとがバレル５０ｃに配置されている。
【００５３】
以上で説明した本実施形態の三次元造形装置１００ｃによれば、各ヒーター５８Ａ〜５８Ｄと連通孔５６との間の最短距離を短く、かつ、溝形成面４２の外周縁との間の最短距離を長く設定できる。そのため、各ヒーター５８Ａ〜５８Ｄからの加熱によって、フラットスクリュー４０の溝部４５に供給された材料を溶融させるとともに、連通孔５６を流れる造形材料の流動性を高めることができる。特に、本実施形態では、各ヒーター５８Ａ〜５８Ｄとノズル６１との間の最短距離を短く設定できる。そのため、各ヒーター５８Ａ〜５８Ｄからの加熱によって、ノズル６１から吐出される造形材料の流動性を高めることができる。
【００５４】
Ｃ．他の実施形態：
（Ｃ１）図１３は、他の形態における三次元造形装置１００ｄの構成を示す説明図である。上述した各実施形態の三次元造形装置１００，１００ｃの溶融部３０，３０ｃでは、フラットスクリュー４０の溝部４５に供給された材料を加熱するヒーター５８がバレル５０，５０ｃの本体に埋設されている。これに対して、図１３に示すように、三次元造形装置１００ｄの溶融部３０ｄでは、溝部４５に供給された材料を加熱するヒーター５８ｄが、バレル５０ｄの本体ではなく、吐出量調節機構７０ｄの弁部７３ｄに埋設されてもよい。バレル５０ｄに設けられた交差孔５７ｄは、バレル５０ｄの−Ｙ方向側の側面からフラットスクリュー４０の溝形成面４２の＋Ｙ方向側の外周縁の下方の近傍まで延びてもよい。交差孔５７ｄは、バレル５０ｄを貫通してもよい。吐出量調節機構７０ｄの弁部７３ｄは、フラットスクリュー４０の溝形成面４２の＋Ｙ方向側の外周縁の下方の近傍まで延びてもよい。ヒーター５８ｄは、弁部７３ｄにおける溝部４５の下方に配置されることが好ましい。吐出量調節機構７０ｄの操作部７７ｄの熱伝導率は、弁部７３ｄの熱伝導率よりも小さく設定されることが好ましい。例えば、操作部７７ｄの材質に、弁部７３ｄの材質よりも熱伝導率の低い材質を用いることによって、操作部７７ｄの熱伝導率を弁部７３ｄの熱伝導率よりも小さく設定することができる。操作部７７ｄにジルコニア被膜を形成することによって、操作部７７ｄの熱伝導率を弁部７３ｄの熱伝導率よりも小さく設定することもできる。操作部７７ｄの熱伝導率を弁部７３ｄの熱伝導率よりも小さく設定することによって、ヒーター５８ｄの熱が操作部７７ｄを介して弁駆動部１０１に伝わることを抑制できる。そのため、弁駆動部１０１の温度が高くなりすぎることを抑制できる。
【００５５】
（Ｃ２）上述した各実施形態の三次元造形装置１００，１００ｃにおいて、吐出量調節機構７０には、凹部７５が設けられた弁部７３ではなく、例えば、ゲートバルブや、グローブバルブや、ボールバルブ等が用いられてもよい。
【００５６】
（Ｃ３）上述した各実施形態の三次元造形装置１００，１００ｃでは、吸引部８０が設けられている。これに対して、三次元造形装置１００，１００ｃに吸引部８０が設けられていなくてもよい。
【００５７】
（Ｃ４）上述した各実施形態の三次元造形装置１００，１００ｃでは、バレル５０，５０ｃの内部に、冷却部９０が設けられている。これに対して、バレル５０，５０ｃの外部に冷却部９０が設けられてもよい。例えば、スクリューケース３１の内部における、フラットスクリュー４０の溝形成面４２の外周部の近傍に冷却部９０が設けられてもよい。三次元造形装置１００，１００ｃに冷却部９０が設けられていなくてもよい。
【００５８】
（Ｃ５）上述した各実施形態の三次元造形装置１００，１００ｃでは、フラットスクリュー４０の中心軸ＲＸを通り、かつ、弁部７３の中心軸ＡＸ１に垂直な断面において、フラットスクリュー４０の中心軸ＲＸに垂直な方向であるＸ方向における冷媒配管５９と溝形成面４２の外周縁との間の最短距離よりも、Ｘ方向における冷媒配管５９と連通孔５６との間の最短距離の方が長くなるように、冷媒配管５９がバレル５０ｃに配置されている。これに対して、フラットスクリュー４０の中心軸ＲＸを通り、かつ、弁部７３の中心軸ＡＸ１に垂直な断面において、フラットスクリュー４０の中心軸ＲＸに垂直な方向における冷媒配管５９と溝形成面４２の外周縁との間の最短距離よりも、フラットスクリュー４０の中心軸ＲＸに垂直な方向における冷媒配管５９と連通孔５６との間の最短距離の方が長くなるように、冷媒配管５９が配置されてもよい。例えば、フラットスクリュー４０の中心軸ＲＸを通り、かつ、弁部７３の中心軸ＡＸ１に垂直な断面において、Ｘ方向における冷媒配管５９と溝形成面４２の外周縁との間の最短距離と、Ｘ方向における冷媒配管５９と連通孔５６との間の最短距離とが同じになるように、冷媒配管５９がバレル５０ｃに配置されてもよい。
【００５９】
（Ｃ６）上述した各実施形態の三次元造形装置１００，１００ｃでは、溶融部３０，３０ｃは、偏平な円柱状のフラットスクリュー４０と、平坦なスクリュー５２対向面を有するバレル５０，５０ｃとを備えている。これに対して、溶融部３０，３０ｃは、長尺な軸状の外形を有し、軸の側面に螺旋状の溝が形成されたインラインスクリューと、円筒状のスクリュー対向面を有するバレルとを備えてもよい。
【００６０】
Ｄ．他の形態：
本開示は、上述した実施形態に限られるものではなく、その趣旨を逸脱しない範囲において種々の形態で実現することができる。例えば、本開示は、以下の形態によっても実現可能である。以下に記載した各形態中の技術的特徴に対応する上記実施形態中の技術的特徴は、本開示の課題の一部又は全部を解決するために、あるいは、本開示の効果の一部又は全部を達成するために、適宜、差し替えや、組み合わせを行うことが可能である。また、その技術的特徴が本明細書中に必須なものとして説明されていなければ、適宜、削除することが可能である。
【００６１】
（１）本開示の一形態によれば、三次元造形装置が提供される。この三次元造形装置は、材料を溶融して造形材料にする溶融部と、前記溶融部から供給された前記造形材料をステージに向かって吐出するノズルと、を備える。前記溶融部は、回転軸を中心に回転し、前記材料が供給される溝が形成された溝形成面を有するスクリューと、前記溝に供給された前記材料を加熱する加熱部と、前記溝形成面に対向する対向面を有し、前記対向面と前記ノズルとを連通する連通孔が設けられたバレルと、前記連通孔に設けられ、前記ノズルから吐出される前記造形材料の流量を調節する吐出量調節機構と、を有する。
この形態の三次元造形装置によれば、吐出量調節機構によってノズルへの造形材料の供給を停止できるので、意図せずにノズルから造形材料が吐出されることを抑制できる。そのため、意図せずにノズルから吐出された材料が三次元造形物に付着して、三次元造形物の寸法精度を低下させることを抑制できる。
【００６２】
（２）上記形態の三次元造形装置において、前記吐出量調節機構を制御する制御部を備え、前記吐出量調節機構は、前記連通孔に交差する中心軸を中心として回転可能に構成され、かつ、前記造形材料が流れる流通路を有する弁部を備え、前記連通孔は、前記対向面と前記弁部との間の流路である第１部分流路と、前記弁部と前記ノズルとの間の流路であり、前記流通路を介して前記第１部分流路に連通する第２部分流路とを有し、前記制御部は、前記弁部を回転させて前記流通路と前記第２部分流路との接続部の流路断面積を変更することによって、前記ノズルから吐出される前記造形材料の流量を調節してもよい。
この形態の三次元造形装置によれば、弁部の回転によって、ノズルへの造形材料の供給の開始と停止とを切替えることができる。そのため、簡易な構成によって、ノズルからの造形材料の吐出の開始と停止とを切替えることができる。
【００６３】
（３）上記形態の三次元造形装置において、前記加熱部は、前記バレル内に配置されており、前記スクリューの前記回転軸に垂直な方向において、前記加熱部と前記バレルの前記連通孔との最短距離は、前記加熱部と前記スクリューの外周縁との最短距離よりも短くてもよい。
この形態の三次元造形装置によれば、加熱部からの熱を連通孔内の造形材料に伝えやすくできる。そのため、連通孔を介してノズルに供給される造形材料の流動性を高めることができる。
【００６４】
（４）上記形態の三次元造形装置において、前記バレルは、冷却部を有し、前記スクリューの前記回転軸に垂直な方向において、前記冷却部と前記バレルの前記連通孔との最短距離は、前記冷却部と前記スクリューの外周縁との最短距離よりも長くてもよい。
この形態の三次元造形装置によれば、冷却部によってスクリューの外周縁の近傍を冷却することができる。そのため、スクリューの回転によってスクリューの外周縁から中心軸に向かって材料を搬送しやすくできる。
【００６５】
（５）上記形態の三次元造形装置は、前記吐出量調節機構と前記ノズルとの間の前記連通孔に接続され、前記連通孔から前記造形材料を吸引する吸引部を備えてもよい。
この形態の三次元造形装置によれば、吸引部によって吐出量調節機構とノズルとの間の連通孔内の造形材料を吸引することができる。そのため、吐出量調節機構によってノズルへの造形材料の供給を停止する際に、ノズルからの造形材料の吐出をより迅速に停止できる。
【００６６】
本開示は、三次元造形装置以外の種々の形態で実現することも可能である。例えば、造形ヘッド、バレル等の形態で実現することができる。
【符号の説明】
【００６７】
２０…材料供給部、２２…供給路、３０，３０ｃ，３０ｄ…溶融部、３１…スクリューケース、３２…駆動モーター、３３…シャフト、４０…フラットスクリュー、４１…上面、４２…溝形成面、４３…側面、４４…凸条部、４５…溝部、４６…中央部、４８…材料導入口、５０，５０ｂ，５０ｃ，５０ｄ…バレル、５２，５２ｂ…スクリュー対向面、５４…案内溝、５６…連通孔、５６ｂ…第１連通孔、５７，５７ｄ…交差孔、５８，５８ｄ…ヒーター、５９…冷媒配管、６１…ノズル、６２…ノズル孔、６５…内部流路、７０，７０ｄ…吐出量調節機構、７３，７３ｄ…弁部、７５…凹部、７７，７７ｄ…操作部、８０…吸引部、８１…シリンダー、８２…プランジャー、９０…冷却部、１００，１００ｂ，１００ｃ，１００ｄ…三次元造形装置、１０１…弁駆動部、１０２…プランジャー駆動部、１０３…ポンプ、１５１…第１部分流路、１５２…第２部分流路、１５３…交差部、２００，２００ｃ…造形ヘッド、２５０…流路構造体、２５６…第２連通孔、２５７…交差孔、３００…ステージ、３１０…造形面、４００…移動機構、５００…制御部
【図１】
2020179554.tif 000003
【図２】
2020179554.tif 000004
【図３】
2020179554.tif 000005
【図４】
2020179554.tif 000006
【図５】
2020179554.tif 000007
【図６】
2020179554.tif 000008
【図７】
2020179554.tif 000009
【図８】
2020179554.tif 000010
【図９】
2020179554.tif 000011
【図１０】
2020179554.tif 000012
【図１１】
2020179554.tif 000013
【図１２】
2020179554.tif 000014
【図１３】
2020179554.tif 000015